(57)【要約】【課題】台所のシンクで洗い物等の長時間の立ち仕事をする時、下半身が疲れないために、立ちながら座れる、作業用引っかけ椅子を提供する。【解決手段】パイプ状の中心棒を上下スライドする先端棒に、中心棒を保持固定する手段を設け、中心棒の中程には椅子座面が上下回動する手段と椅子座面の高さ調節手段を設け、椅子の座面にまたがり、立ちながら尻部を乗せるようにした作業用引っかけ椅子。【選択図】図１
2018033902.tif 000002
【特許請求の範囲】
【請求項１】
パイプ状の中心棒を上下スライドする先端棒に、中心棒を保持固定する手段を設け、中心棒の中程には椅子座面が上下回動する手段と椅子座面の高さ調節手段を設け、椅子の座面にまたがり、立ちながら尻部を乗せるようにした作業用引っかけ椅子。
【請求項２】
中心棒の中程には椅子座面が上下回動する手段として、座面７の裏に台座補強板８を水平に取り付け、座面７の真ん中前方にガイド部溝９を設け、座面土台板は上部６ａと下部６ｂに分かれていて一体構造とし、座面土台板上部６ａの両サイドに、ガイド部ストッパー板１１を取り付け、中心棒１に座面止め金具１２で座面土台板を取り付け、座面土台板上部６ｂに設けられたガイド部ストッパー板１１に沿って座面７のガイド部溝９を差し込んで座面７を取り付け、座面７の裏面と座面土台板上部６ａの両側面にＬ字型金具１０を取付け、座面７の収納時に座面７を手で上に上げると座面７が、Ｌ字状金具１０の中心軸２２を支点としてガイド部ストッパー板１１で止まり、座面７が中心棒１と平行になるように設け、中心棒１に座面７が回動するように設けた請求項１の作業用引っかけ椅子。
【請求項３】
椅子座面の高さ調節手段として、中心棒１の下部に複数段の高さ調節穴１６が設けられ、高さ調整金具１４を上下すると座面土台止め金具１２が連動して上下に動き、固定ピン１５を高さ調節穴１６に差込み、座面の高さを調節し、中心棒１の高さ調節は、中心棒１の内部に取り付けたネジ２０を回すことでも高さ調節ができるようにした請求項１の作業用引っかけ椅子。
【請求項４】
中心棒を保持固定する手段として、台形板３を先端棒２の先端部に取り付け、先端棒２と台形板３に対して直角に貫通穴を設け、Ｌ字状の挟持部４の頭部から挟持用ネジ２１を貫通穴に入れて、先端棒２から突出させた挟持用ネジ２１を蝶ナット５で固定し、パイプ状の中心棒１に先端部に台形板３を設けた先端棒２を挿入して、シンク１９に挟持部４を引っ掛けるようにした請求項１の作業用引っかけ椅子。
【請求項５】
中心棒を保持固定する手段として、作業台２３に別途と取り付け棒２４を横断的に設け、パイプ状の中心棒１に引っ掛け本体部２５を設けた先端棒２を挿入し、上下自在にし、引っ掛け本体部２５の前方にはＵ字状の受部２６が設けられＵ字状の受部２６を作業台２３の取り付け棒２４に引っ掛けるようにした請求項１の作業用引っかけ椅子。
【発明の詳細な説明】
【技術分野】
【０００１】この発明は立ちながら座れる作業用ひっかけ椅子に関するものである。
【背景技術】
【０００２】  従来の台所用イスは、腰掛けて座る椅子だけしかなかった。
【発明が解決しようとする課題】
【０００３】これには次のような欠点があった。
台所で長時間の太刀作業は下半身に負担がかかっていた。従来の台所用椅子は流し台の前でイスに座ると、膝の長さ分だけ流し台から身体が遠ざかり、シンクで作業するためには立ち上がらなくてはならず、座ったままではできなかった。また、イスの足が３〜４本ついているので場所をとっていた。
作業用の油圧式イスは、またいで座れるのもあるが、持ち運びに重く底面が広く場所をとる上に油圧式なので、コストが高くつく。
本発明は以上のような欠点をなくすために、なされたものである。
【課題を解決するための手段】
【０００４】（イ）台形板３を先端棒２の先端部に取り付けて、先端棒２と台形板３に対して直角に貫通穴を設け、Ｌ字状の挟持部４の頭部から挟持用ネジ２１を貫通穴に入れて、先端棒２から突出させた挟持用ネジ２１を蝶ナット５で固定する。
（ロ）パイプ状の中心棒１に先端部に台形板３を設けた先端棒２を挿入して、シンク１９に挟持部４を引っ掛けるようにし、中心棒１に挿入された先端棒２が上下に動いてシンク１９の高さに合わせることができて、蝶ナット５で閉めることで、Ｌ字状の挟持部４と台形板３でシンク１９に挟み固定できるように設ける。
（ハ）座面７の裏に台座補強板８を水平に取り付け、座面７の真ん中前方にガイド部溝９を設ける。
（二）座面土台板は上部６ａと下部６ｂに分かれていて一体構造となっている。
（ホ）座面土台板上部６ａの両サイドに、ガイド部ストッパー板１１を取り付け。
（ヘ）中心棒１に座面止め金具１２で座面土台板を取り付けて、図１に示すように座面土台板上部６ａに設けられたガイド部ストッパー板１１に沿って座面７のガイド部溝９を差し込み座面７を取り付ける。
（ト）座面７の裏面と座面土台板上部６ａの両側面にＬ字型金具１０で取りつけることで中心棒１に座面７が回動するように設けてある。
（チ）座面７の収納時には座面７を手で上に上げると座面７が、Ｌ字状金具１０の中心軸２２を支点としてガイド部ストッパー板１１で止まり、座面７が中心棒１と平行になる。
（リ）中心棒１の下部に複数段の高さ調節穴１６が設けられ、高さ調整金具１４を上下すると座面土台止め金具１２が連動して上下に動き、固定ピン１５を高さ調節穴１６に差込み、固定バンド１３で留めることで、座面の高さ調節ができる。
（ヌ）中心棒１下部にシンクの扉にあたっても傷つけない扉当て１７を設けている。
（ル）中心棒１の底部に床を傷つけない支柱台１８を設けている。
（オ）図２に示すように中心棒１の高さ調節は、中心棒１の内部に取り付けたネジ２０を回すことでも高さ調節ができる。
本発明は、以上の構成よりなる作業用引っかけ椅子である。
【発明の効果】
【０００５】長時間の立ち仕事の作業に用いる。
シンクに引っ掛けた一本の棒に椅子が付いていて、立ったまま両足でまたいでお尻を乗せるので、立ってはいるがお尻が椅子に乗っかっているので、体重の負荷が少なく長時間の立ち仕事でも下半身が楽である。流し台と上半身のすき間が少ないので、上半身が前のめりにならずに洗い物等の作業ができる。一本足なので場所をとらない。座面がたためるので、使用しないときは、隅に引っ掛けておけば場所をとらない。使わないときは座面をたたみ、棒を二つに分解して仕舞えるので場所をとらない。手動式なので構造も簡単で安価である。
また、シンクに引っ掛け部分がついている上部の棒を代えることで、シンク以外にも使用できる。
【発明を実施するための形態】
【０００６】  以下、本発明の形態について説明をする。
（イ）台形板３を先端棒２の先端部に取り付けて、先端棒２と台形板３に対して直角に貫通穴を設け、Ｌ字状の挟持部４の頭部から挟持用ネジ２１を貫通穴に入れて、先端棒２から突出させた挟持用ネジ２１を蝶ナット５で固定するように設けてある。
（ロ）図１に示すようにパイプ状の中心棒１に先端部に台形板３を設けた先端棒２を挿入して、シンク１９に挟持部４を引っ掛けるようにし、中心棒１に挿入された先端棒２が上下に動いてシンク１９の高さに合わせることができて、蝶ナット５で閉めることで、Ｌ字状の挟持部４と台形板３でシンク１９に挟み固定できるように設ける。
（ハ）図５に示すように座面７の裏に台座補強板８を水平に取り付け、座面７の真ん中前方にガイド部溝９を設ける。
（二）座面土台板は上部６ａと下部６ｂに分かれていて一体構造となっている。
（ホ）図３に示すように座面土台板上部６ａの両サイドに、ガイド部ストッパー板１１を取り付けてある。
（ヘ）中心棒１に座面止め金具１２で座面土台板を取り付けて、図１に示すように座面土台板上部６ａに設けられたガイド部ストッパー板１１に沿って座面７のガイド部溝９を差し込み座面７を取り付ける。
（ト）図５に示すように座面７の裏面にＬ字型金具１０を座面土台板下部６ｂの両側    面に取りつけることで中心棒１に座面７が回動するように設けてある。
（チ）座面７の収納時には座面７を手で上に上げると座面７が、Ｌ字状金具１０の中心軸２２を支点として図１→図４→図５に沿って回動し、ガイド部ストッパー板１１で座面７が止まり、図５のように座面７が中心棒１と平行になる。
【０００７】（リ）図４が示すように中心棒１の下部に複数段の高さ調節穴１６が設けられ、中心棒１に固定されている座面土台止め金具１２の固定を緩めて、高さ調整金具１４を上下すると座面土台に取付けられている座面土台止め金具１２が連動して上下に動くので、シンクの高さに合わせて高さが決まったら、固定ピン１５を高さ調節穴１６に差込み、固定バンド１３で留めることで、座面の高さ調節ができる。
（ヌ）中心棒１下部にシンク１９の扉にあたっても傷つけないシンク扉保護台１７を設けている。
（ル）中心棒１の底部には床を傷つけない支柱台１８を設けている。
（オ）図２に示すように中心棒１の高さ調節は、中心棒１の内部に取り付けたネジ２０を回すことでも高さ調節ができるので、高さ調整金具１４の上下位置調整によって最適の高さが確保できる。
本発明は、以上のような構造である。
【０００８】  他の実施例として図７と図８で形態の説明をする。
（イ）図７で示すように、作業台２３に別途と取り付け棒２４を横断的に設ける。
（ロ）パイプ状の中心棒１に引っ掛け本体部２５を設けた先端棒２を挿入し、上下自在にする構造は台所のシンク１９に取付けるやり方は同じである。
引っ掛け本体部２５の前方にはＵ字状の受部２６が設けられネジ２７で、引っ掛け本体部２５に固定されている。
（ハ）Ｕ字状の受部２６を作業台２３の取り付け棒２４に引っ掛けることにより、中心棒１の位置が決まる。
（ニ）中心棒１と作業台２３との位置調節構造は、シンク１９の方法と同じ構造である。使用する所によって先端棒２の位置固定部を用いれば良い。
【０００９】本発明を使用するときは、
（イ）中心棒１の先端部に台形板３を設けた先端棒２を挿入して、シンク１９にＬ字型挟持部４を引っ掛けると、中心棒１に挿入された先端棒２が上下に動いてシンク１９の高さに合わせナット５で締めると、Ｌ字状の挟持部４と台形板３でシンク１９を挟んで固定する。
（ロ）中心棒１に取り付けられた座面７を手で下に押すと、座面７の裏面に面土台板下部６ｂの両側面に取りつけられたＬ字型金具１０の中心軸２２が回動して、座面７が中心棒１に直角に開く。
（ハ）座面７に立ったまま両足を開いてまたぎ、お尻を乗せる。
（二）上半身がシンク１９の高さに合うように、高さ調整金具１４に取り付けられた固定ピン１５を高さ調節穴１６の適度の穴に入れることで、高さ調節ができる。
（ホ）中心棒１の高さ調節は、中心棒１の内部に取り付けたネジ２０を回すことでもできるので、高さ調整金具１４の上下位置調整によって最適の高さが確保できる。
（ヘ）本発明イスの使用後は、座面７を手で上に上げると座面７が、Ｌ字状金具１０の中心軸２２を支点としてガイド部ストッパー板１１で止まり、座面７が中心棒１と平行になる。
（ト）収納時はＬ字状の挟持部４と台形板３でシンク１９に挟み固定した蝶ナット５を緩めて、先端棒２を上に引っ張ると、中心棒１から先端棒２がはずれるのでコンパクトに収納できる。
（チ）他の実施例を使用するときは、図７に示すように作業台２２に棒２１を取り付ける。
（リ）図８に示すように先端棒２に引っ掛け部本体２５をネジ２７で固定して、引っ掛け部本体２５の先端が左右に分かれたＵ字状の受け部２６を、作業台２２に取り付けた取り付け棒２４に引っ掛ける。引っ掛け部以外の使用方法は、これまでと同じである。
【図面の簡単な説明】
【０００７】
【図１】本発明の取付け状態の斜視図
【図２】本発明の支柱台の正面図
【図３】本発明の座面の斜視図
【図４】本発明の座面が回動途中の状態斜視図
【図５】本発明の座面を折りたたんだ状態の斜視図
【図６】本発明の使用状態図
【図７】作業台に本発明の他の実施例を取り付けた状態図
【図８】他の実施例の引っかけ部の斜視図
【符号の説明】
【０００８】１    中心棒
２    先端棒
３    台形板
４    Ｌ字状挟持部
５    蝶ナット
６ａ  座面土台板上部
６ｂ  座面土台板下部
７    座面
８    座面補強板
９    ガイド部溝
１０  Ｌ字型金具
１１  ガイド部ストッパー
１２  座面土台止め金具
１３  固定バンド
１４  高さ調整金具
１５  固定ピン
１６  高さ調節穴
１７  シンク扉保護台
１８  支柱台
１９  シンク
２０  高さ調節ネジ
２１  挟持用ネジ
２２  中心軸
２３  作業台
２４  取り付け棒
２５  引っかけ本体部
２６  Ｕ字状の受部
２７  ネジ
【図１】
2018033902.tif 000003
【図２】
2018033902.tif 000004
【図３】
2018033902.tif 000005
【図４】
2018033902.tif 000006
【図５】
2018033902.tif 000007
【図６】
2018033902.tif 000008
【図７】
2018033902.tif 000009
【図８】
2018033902.tif 000010